(57)【要約】【課題】  洗眼を自動で簡単に行うことができ、しかも洗眼液がこぼれることのないようにした携帯用洗眼器を提供することを目的とする。【解決手段】  モーター１０を収容した本体１と、前記本体に着脱可能な洗眼器３０と、前記モーターの回転を洗眼器へ伝える伝達部材２とを備え、前記モーターと該モーターで回転される偏心部材５３とで振動発生装置を構成してなる。前記伝達部材は凹凸係合する接手５、２０であって、前記本体に前記洗眼器を取り付けたとき、凹凸係合する。【選択図】  図１
2005131341.tif 000002
【特許請求の範囲】
【請求項１】
モーターを収容した本体と、前記本体に着脱可能な洗眼器と、前記モーターの回転を洗眼器へ伝える伝達部材とを備え、前記モーターと該モーターで回転される偏心部材とで振動発生装置を構成してなる、携帯用洗眼器。
【請求項２】
請求項１に記載する携帯用洗眼器において、前記伝達部材は凹凸係合する接手であって、前記本体に前記洗眼器を取り付けたとき、凹凸係合するようにした、携帯用洗眼器。
【発明の詳細な説明】
【技術分野】
【０００１】  本発明は、目をリフレッシュさせる携帯用洗眼器に関する。
【背景技術】
【０００２】  これまでの携帯用洗眼器は、適量の洗眼液を洗眼容器に注ぎ、顔を伏せて目を洗眼容器に押し当て、次いで顔を上向きにして洗眼液を目に接触させ、手動で洗眼液に振動を与えて洗眼するものがほとんどである（特許文献１）。
あるいは、振動発生手段が内蔵された携帯用洗眼具がある（特許文献２）。
【特許文献１】  特開２０００−４２０８１号公報
【特許文献２】  登録実用新案第３０３９０１５号公報
【発明の開示】
【発明が解決しようとする課題】
【０００３】  しかしながら、いずれも顔を上向きにする動作が必要であり、洗眼容器や洗眼具を逆さまにした状態で洗眼を行うものであるため、洗眼液がこぼれ、顔や衣服を汚す恐れがあった。
また、手動で洗眼液に振動を与えるため、操作が面倒である。【０００４】  本発明は、洗眼を自動で簡単に行うことができ、しかも洗眼液がこぼれることのないようにした携帯用洗眼器を提供することを目的とする。
【課題を解決するための手段】
【０００５】  上記のような目的を達成するために、本発明の携帯用洗眼器は、モーターを収容した本体と、前記本体に着脱可能な洗眼器と、前記モーターの回転を洗眼器へ伝える伝達部材とを備え、前記モーターと該モーターで回転される偏心部材とで振動発生装置を構成してなるものである。
ここで前記伝達部材は凹凸係合する接手であって、前記本体に前記洗眼器を取り付けたとき、凹凸係合するようにしたものである。【０００６】  上記課題解決手段による作用は次のとおりである。
モーターを収容した本体を片手で持ち、顔を下へ向けて洗眼器に密着させ、モーターを駆動するだけで自動的に洗眼することができる。
モーターと洗眼器との間に伝達部材を介在するとともに振動発生装置を設けているので、洗眼液が振動しながら飛び散って効果的に洗眼することができる。
また、伝達部材は、互いに凹凸係合する接手なので、洗眼器を本体に差し込むだけで簡単に装着することができる。
【発明の効果】
【０００７】  本発明は、以上説明したようになるから次のような効果を得ることができる。
＜イ＞片手で把持してモーターを駆動するだけで、自動で簡単に洗眼を行うことができる。
＜ロ＞洗眼液が振動しながら飛び散り、洗眼器を逆さまにしなくても顔を伏せたままで洗眼することができるので、洗眼液がこぼれたり、顔や衣服を汚す恐れがない。
【発明を実施するための最良の形態】
【０００８】  以下、図面を参照しながら、本発明に係る実施の形態について説明する。
図１は携帯用洗眼器の一部を示す断面図で、図２は伝達部材及び振動発生装置を分解して示す斜視図である。図３は携帯用洗眼器の外観図である。図４はカップ状容器の振動状態を示す斜視図で、図５は洗眼の状態を示す図である。【０００９】＜イ＞携帯用洗眼器
携帯用洗眼器３は、本体１と洗眼器３０とからなる（図３）。本体１の上部に、洗眼器３０を着脱可能に装着する。
本体１は、手で把持しやすい形状、寸法であり、樹脂などで筒状に形成する。
本体１の内側に電池（図示せず）、モーター１０、伝達部材２などを収容し、外側にモーター１０をオンオフするスイッチ１２を設けている。
電気配線は、例えばモーター１０、電池、スイッチ１２を直列に接続した簡単なものでよい。【００１０】＜ロ＞洗眼器（図１、図３）
洗眼器３０は、洗浄液（洗眼液）を入れるカップ状容器３１と接続部材４とからなる。
カップ状容器３１は上方へ向けて大きく開口し、上端縁が傾斜または湾曲している。カップ状容器３１は、顔面に押し当てたときに密着するように弾力性樹脂などで構成するのが好ましい。
洗眼液の量を測定できるようにカップ状容器３１に目盛りを付けてもよい。
接続部材４はカップ状容器３１を本体１に接続するもので、上部材４０と下部材４１とからなる。上部材４０と下部材４１を組み立てたときに中空部４４が形成され、中空部４４と孔４３に後述する伝達部材２及び振動発生装置が設けられる。
上部材４０の凸部４２をカップ状容器３１の凹部３２に押し込んで洗眼器３０を構成する。【００１１】＜ハ＞伝達部材
伝達部材２はモーター１０の回転を接続部材４へ伝達するもので、本体１と洗眼器３０の間に設けられる。
伝達部材２は、例えば凹凸係合する接手であって、本体１に洗眼器３０を取り付けたとき、凹凸係合する。
本例では、図１及び図２から分かるようにモーター軸１１に十字状の凹部を形成したメス接手２０を取り付け、接続部材４にこれと凹凸係合する十字状の凸部を形成したオス接手５を設けているが、逆にしてもよく、また十字状に限らず多角形状としてもよい。
伝達部材２を設けたことで、洗眼器３０は本体１に着脱自在である。【００１２】＜ニ＞振動発生装置
接続部材４にオス接手５を回転自在に軸支し、オス接手５の一端に偏心分銅５３を取り付ける。オス接手５はモーター軸１１のメス接手２０と凹凸係合しているので、モーター１０が回転するとオス接手５とともに偏心分銅５３も回転し、その遠心力で接続部材４が振動することになる。このためモーター１０と、このモーター１０で回転される偏心分銅５３は振動発生装置を構成する。
接続部材４にはカップ状容器３１が取り付けられており、中の洗眼液３３が振動して目を洗うことができる（図４）。
図ではオス接手５の穴５０に回転軸５１を押し込んで結合し、回転軸５１を軸受５２で回転自在に支持するとともに偏心分銅５３を取り付けているが（図２参照）、オス接手５と回転軸５１を一体物で構成してもよい。【００１３】＜ホ＞作用
先ず、上部材４０の凸部４２をカップ状容器３１の凹部３２に押し込み、オス接手５とメス接手２０を凹凸係合させながら洗眼器３０を本体１に装着する（図３）。
次いでカップ状容器３１に適量の洗眼液を注ぎ入れ、本体１を片手で持ち、顔を下に向けてカップ状容器３１の上端縁に目の周囲を押し当てる（図５）。
カップ状容器３１は弾力性樹脂で構成しているので、顔面を押し当てたときに上縁部が目の周囲を覆って密着し、洗眼液の漏れを防止する。
この状態で、スイッチ１２を押してモーター１０を回転させると、伝達部材２を介して偏心分銅５３が回転する。偏心分銅５３は回転軸５１に対し偏心状態で取り付けられているので、モーター１０の高速回転に伴い、接続部材４とともにカップ状容器３１が振動する。図４に示すように洗眼液３３が振動しながら目に向けて飛び散るので、所定時間、瞬きを繰り返すか目を見開いて洗眼する。
このように本体１を片手で持ち、スイッチ１２を押すだけで自動的に洗眼できるので、操作が極めて簡単である。
洗眼を終了するときは、スイッチ１２を操作して、モーター１０の回転を停止すればよい。
カップ状容器３１は顔面に密着するので、顔を伏せたままで洗眼でき、顔や衣服を汚すことがない。
また本体１は片手で把持しやすい形状であり、操作がしやすいので、顔の向きに関係なく洗眼できる。
洗眼器３０が着脱可能なので、使用しないときは洗眼器３０と本体１を分離してコンパクトに収納できる。
【図面の簡単な説明】
【００１４】
【図１】携帯用洗眼器の一部を示す断面図。
【図２】伝達部材及び振動発生装置を分解して示す斜視図。
【図３】携帯用洗眼器の外観図。
【図４】洗眼液の振動状態を示す斜視図で。
【図５】洗眼の状態を示す図。
【符号の説明】
【００１５】１・・・・本体
２・・・・伝達部材
２０・・・メス接手
３・・・・携帯用洗眼器
３０・・・洗眼器
３１・・・カップ状容器
３３・・・洗眼液
４・・・・接続部材
４０・・・上部材
４１・・・下部材
４４・・・中空部
５・・・・オス接手
５３・・・偏心分銅
【図１】
2005131341.tif 000003
【図２】
2005131341.tif 000004
【図３】
2005131341.tif 000005
【図４】
2005131341.tif 000006
【図５】
2005131341.tif 000007